(57)【要約】  本発明は、上下移動及びスイング型ミキサーに関し、特に、ミキサーが上下方向に移動しながら左右方向に揺れて、飲食物を容易に粉砕することができる上下移動及びスイング型ミキサーに関するものである。本発明の上下移動及びスイング型ミキサーは、ベース部材と、下部が前記ベース部材の上部に回転可能にヒンジ結合された中空状の回転部材と、前記回転部材の内部に上下方向に移動可能に配置された本体と、前記本体の上部に着脱可能に結合され、内部に飲食物を収容し、内部に刃が配置された収容部材と、前記本体を前記回転部材の内部で上下方向に移動可能に弾支する垂直弾性部材と、一端が前記ベース部材に結合されるとともに他端が前記回転部材に結合され、前記回転部材を左右方向に弾支する水平弾性部材と、を含んでなり、前記本体は前記回転部材に対して独立的に上下移動し、左右方向に回転するときには一緒に回転し、外力によって前記回転部材及び本体が左右方向に傾いたとき、前記水平弾性部材は前記回転部材及び本体を原位置に復元させることを特徴とする。【選択図】  図１
2019509069.tif 000002
【特許請求の範囲】
【請求項１】
ベース部材と、
下部が前記ベース部材の上部に回転可能にヒンジ結合された中空状の回転部材と、
前記回転部材の内部に上下方向に移動可能に配置された本体と、
前記本体の上部に着脱可能に結合され、内部に飲食物を収容し、内部に刃が配置された収容部材と、
前記本体を前記回転部材の内部で上下方向に移動可能に弾支する垂直弾性部材と、
一端が前記ベース部材に結合されるとともに他端が前記回転部材に結合され、前記回転部材を左右方向に弾支する水平弾性部材と、を含んでなり、
前記本体は前記回転部材に対して独立的に上下移動し、左右方向に回転するときには一緒に回転し、
外力によって前記回転部材及び本体が左右方向に傾いたとき、前記水平弾性部材は前記回転部材及び本体を原位置に復元させることを特徴とする、上下移動及びスイング型ミキサー。
【請求項２】
前記回転部材の下部にはボール部材が突出し、
前記ベース部材には、前記ボール部材が収容されて回転する収容孔が形成され、
前記ボール部材と前記収容孔の結合によって前記回転部材は前記ボール部材を中心に左右方向に回動することを特徴とする、請求項１に記載の上下移動及びスイング型ミキサー。
【請求項３】
前記垂直弾性部材はコイルスプリングからなって前記回転部材の内部に配置され、
前記垂直弾性部材は、下端が前記回転部材の下面に接するとともに上端が前記本体に接して前記本体を上下方向に弾支することを特徴とする、請求項１に記載の上下移動及びスイング型ミキサー。
【請求項４】
前記回転部材の外周面には上下方向に昇降溝が長く形成され、
前記本体には、前記昇降溝に挿入されて上下方向に移動するガイド突起が突設されたことを特徴とする、請求項１に記載の上下移動及びスイング型ミキサー。
【請求項５】
前記ベース部材は、
上部に前記回転部材の下部がヒンジ結合される底面と、
前記底面から上方に突設され、前記回転部材の外周面を取り囲むように配置される側壁とを含んでなり、
前記水平弾性部材は、一端が側壁に結合されるとともに他端が前記回転部材に結合されることを特徴とする、請求項１に記載の上下移動及びスイング型ミキサー。
【請求項６】
前記水平弾性部材は前記側壁と前記回転部材の間に形成された空間を覆うことを特徴とする、請求項５に記載の上下移動及びスイング型ミキサー。
【請求項７】
前記水平弾性部材は前記側壁より上側に配置されることを特徴とする、請求項６に記載の上下移動及びスイング型ミキサー。
【請求項８】
前記水平弾性部材は前記ベース部材の内部に配置され、
前記回転部材には前記水平弾性部材の上部でカバー部材が結合され、
前記カバー部材は前記水平弾性部材の上部を覆い、前記回転部材の左右回動時に前記側壁に沿って移動することを特徴とする、請求項６に記載の上下移動及びスイング型ミキサー。
【発明の詳細な説明】
【技術分野】
【０００１】
本発明は、上下移動及びスイング型ミキサーに関し、特に、ミキサーが上下方向に移動しながら左右方向に揺れて、飲食物を容易に粉砕することができる上下移動及びスイング型ミキサーに関する。
【背景技術】
【０００２】
一般に、ミキサーは電源供給によって電動モーターが回転し、電動モーターによって刃、すなわち粉砕刃が回転しながら飲食物を混合及び／又は粉砕する。
【０００３】
ところで、従来のミキサーは粉砕刃の位置が一定固定されたままで回転するので、一定時間の粉砕後には飲食物が粉砕刃の遠心力などによって前記粉砕刃の外側に配置される。
【０００４】
したがって、いまだ不十分に粉砕された飲食物を粉砕するため、使用者がミキサーを握って振るとか衝撃を加えることによって外側に配置された飲食物が粉砕刃がある位置に移動するようにする煩わしさがあった。
【０００５】
このようにミキサー全体を握って振るとか衝撃を加えるから、使用者は使用が不便であり、またミキサーには強い衝撃が加わって破損の危険があった。
【０００６】
また、食べ物などの内容物がよく粉砕されない場合には、ときどきモーターを超高速で回転させるため、それによってモーターの寿命を縮めることができ、電気料金も増加する欠点があった。
【先行技術文献】
【特許文献】
【０００７】
【特許文献１】韓国公開特許第１０−２０１６−００９７５８１号公報
【発明の概要】
【発明が解決しようとする課題】
【０００８】
本発明は前述した問題点を解決するためのもので、ミキサーが上下及び左右方向に移動して飲食物を均一に混合してうまく粉砕することができる上下移動及びスイング型ミキサーを提供することにその目的がある。
【課題を解決するための手段】
【０００９】
上記の目的を達成するために、本発明の上下移動及びスイング型ミキサーは、ベース部材と、下部が前記ベース部材の上部に回転可能にヒンジ結合された中空状の回転部材と、前記回転部材の内部に上下方向に移動可能に配置された本体と、前記本体の上部に着脱可能に結合され、内部に飲食物を収容し、内部に刃が配置された収容部材と、前記本体を前記回転部材の内部で上下方向に移動可能に弾支する垂直弾性部材と、一端が前記ベース部材に結合されるとともに他端が前記回転部材に結合され、前記回転部材を左右方向に弾支する水平弾性部材と、を含んでなり、前記本体は前記回転部材に対して独立的に上下移動し、左右方向に回転するときには一緒に回転し、外力によって前記回転部材及び本体が左右方向に傾いたとき、前記水平弾性部材は前記回転部材及び本体を原位置に復元させることを特徴とする。
【００１０】
前記回転部材の下部にはボール部材が突出し、前記ベース部材には、前記ボール部材が収容されて回転する収容孔が形成され、前記ボール部材と前記収容孔の結合によって前記回転部材は前記ボール部材を中心に左右方向に回動することができる。
【００１１】
前記垂直弾性部材はコイルスプリングからなって前記回転部材の内部に配置され、前記垂直弾性部材は、下端が前記回転部材の下面に接するとともに上端が前記本体に接して前記本体を上下方向に弾支することができる。
【００１２】
前記回転部材の外周面には上下方向に昇降溝が長く形成され、前記本体には、前記昇降溝に挿入されて上下方向に移動するガイド突起が突設されることができる。
【００１３】
前記ベース部材は、上部に前記回転部材の下部がヒンジ結合される底面と、前記底面から上方に突設され、前記回転部材の外周面を取り囲むように配置される側壁とを含んでなり、前記水平弾性部材は、一端が側壁に結合されるとともに他端が前記回転部材に結合されることができる。
【００１４】
前記水平弾性部材は前記側壁と前記回転部材の間に形成された空間を覆うことができる。
【００１５】
前記水平弾性部材は前記側壁より上側に配置されることができる。
【００１６】
前記水平弾性部材は前記ベース部材の内部に配置され、前記回転部材には前記水平弾性部材の上部でカバー部材が結合され、前記カバー部材は前記水平弾性部材の上部を覆い、前記回転部材の左右回動時に前記側壁に沿って移動することができる。
【発明の効果】
【００１７】
以上で説明したような本発明の上下移動及びスイング型ミキサーによれば次のような効果がある。
【００１８】
飲食物を収容した収容部材が上下方向に移動しながら左右方向にも移動するから、使用者が前記収容部材を握って多方向に容易に振ることができ、前記収容部材の内部に存在する飲食物をより均一に混合しながらうまく粉砕することができる。
【００１９】
また、水平弾性部材及び／又はカバー部材によってベース部材の内部が外部に露出されなくて異物の流入を防止することができ、外観もきれいできちんとした感じを与えることができる。
【図面の簡単な説明】
【００２０】
【図１】本発明の第１実施例によるミキサーの斜視図である。
【図２】本発明の第１実施例によるミキサーの分解斜視図である。
【図３】図１のＡ−Ａ線に沿って見た側断面図である。
【図４】本発明の第１実施例によるミキサーの作動過程図である。
【図５】本発明の第２実施例によるミキサーの斜視図である。
【図６】図５のＢ−Ｂ線に沿って見た側断面図である。
【発明を実施するための形態】
【００２１】
第１実施例
【００２２】
図１は本発明の第１実施例によるミキサーの斜視図、図２は本発明の第１実施例によるミキサーの分解斜視図、図３は図１のＡ−Ａ線に沿って見た側断面図、図４は本発明の第１実施例によるミキサーの作動過程図である。
【００２３】
本発明の上下移動及びスイング型ミキサーは、ベース部材１０と、回転部材２０と、本体３０と、収容部材４０と、垂直弾性部材５０と、水平弾性部材６０とを含んでなる。
【００２４】
前記ベース部材１０はミキサー全体を地面に対して安定的に支持するためのもので、底面１１と側壁１２とからなる。
【００２５】
前記底面１１は略平板状となる。
【００２６】
前記側壁１２は前記底面１１の周りで上方に突設されている。
【００２７】
このような前記底面１１及び側壁１２によって前記ベース部材１０の内部には空間が形成される。
【００２８】
場合によって、前記ベース部材１０は前記側壁１２なしに前記底面１１のみでなることもできる。
【００２９】
前記側壁１２の外部には各種のスイッチなどが装着されており、外部電源と連結されるための電線が結合されている。
【００３０】
前記回転部材２０は中空円筒状になり、下部が前記ベース部材１０の上部に左右方向に回転可能にヒンジ結合される。
【００３１】
より具体的に、前記回転部材２０の下部は前記底面１１の上部にヒンジ結合されている。
【００３２】
よって、前記回転部材２０は前記側壁１２の内側で前記ベース部材１０の空間に挿入装着され、前記側壁１２は前記回転部材２０の外周面を取り囲むように配置される。
【００３３】
そして、前記回転部材２０の下部にはボール部材２３が突設され、前記ベース部材１０には前記ボール部材２３を回転可能に収容する収容孔１３が形成され、前記ボール部材２３と前記収容孔１３の結合によって前記回転部材２０が前記ボール部材２３を中心に左右方向に揺れながら回動することができる。
【００３４】
場合によって、前記ボール部材２３及び収容孔１３ではなくて回転軸によって前記回転部材２０の下部が前記ベース部材１０にヒンジ結合されることもできるが、この場合には、左右方向ではなくて回転軸の垂直方向にのみ旋回運動することができる。
【００３５】
好ましくは、この実施例のように、前記ボール部材２３及び収容孔１３の結合によって前記回転部材２０が前記ベース部材１０に回転可能に装着されることにより、前記回転部材２０が前記ベース部材１０に対してどの左右方向にも前記ボール部材２３を中心に揺れながら回動することができる。
【００３６】
前記本体３０は前記回転部材２０の内部から上下方向に移動可能に装着される。
【００３７】
前記本体３０の下部は前記回転部材２０の内部に配置され、上部は前記本体３０の上部に突出している。
【００３８】
本実施例において、前記本体３０の内部にモーター３２が内蔵されている。
【００３９】
前記回転部材２０の外周面には上下方向に昇降溝２１が長く形成され、前記本体３０には前記昇降溝２１に挿入されて上下方向に移動するガイド突起３１が突設されている。
【００４０】
したがって、前記本体３０を上下方向に移動させれば、前記ガイド突起３１が前記昇降溝２１内で上下方向に移動する。
【００４１】
前記収容部材４０は前記本体３０の上部に着脱可能に結合される。
【００４２】
前記収容部材４０の内部には飲食物が収容され、前記飲食物を粉砕するための刃４１が装着されている。
【００４３】
前記刃４１は前記本体３０に装着されたモーター３２に連結されて回転することになる。
【００４４】
前記垂直弾性部材５０は前記本体３０を前記回転部材２０の内部から上下方向に移動可能に弾支する。
【００４５】
本実施例において、前記垂直弾性部材５０はコイルスプリングからなっているが、前記垂直弾性部材５０はコイルスプリングだけではなく弾性力を有する多様な部品からなることもできる。
【００４６】
コイルスプリングからなった前記垂直弾性部材５０は前記回転部材２０の内部に配置され、下端が前記回転部材２０の下面に接するとともに上端が前記本体３０の下面に接して前記本体３０を上下方向に弾支する。
【００４７】
したがって、外力による前記本体３０の上下移動時、前記弾性部材は圧縮又は弛緩されて前記本体３０が半自動で上下方向によりうまく移動することができるようにする。
【００４８】
前記水平弾性部材６０は一端が前記ベース部材１０に結合されるとともに他端が前記回転部材２０に結合され、前記回転部材２０が左右方向に揺れるときにこれを弾支する。
【００４９】
より具体的に、前記水平弾性部材６０はシリコン、ゴムなどからなり、一端が側壁１２に結合されるとともに他端が前記回転部材２０に結合される。
【００５０】
ここで、前記水平弾性部材６０は前記側壁１２と前記回転部材２０の間に形成された空間を全部覆うことにより、その内部に異物が流入しないようにする。
【００５１】
前記水平弾性部材６０はシリコン、ゴム以外に左右方向への弾性を付与することができるものであれば他の素材及び部品も可能である。
【００５２】
また、前記側壁１２と前記回転部材２０の間に形成された空間全部を覆わずに一部のみを覆うこともできる。
【００５３】
このような前記水平弾性部材６０によって前記回転部材２０が外力によって左右方向の一方向に傾ければ、前記水平弾性部材６０が圧縮及び弛緩され、外力の除去時、前記回転部材２０が原位置に容易に復元することができるようにする。
【００５４】
このような前記水平弾性部材６０は前記側壁１２より上部に配置された状態で前記側壁１２と回転部材２０に結合される。
【００５５】
このような構成によって前記収容部材４０が結合される前記本体３０は前記回転部材２０に対して独立的に上下移動し、左右方向には前記回転部材２０と一緒に水平方向に揺れながら回動する。
【００５６】
そして、外力によって前記回転部材２０及び本体３０が左右方向に傾いたとき、前記水平弾性部材６０は前記回転部材２０及び本体３０を原位置に復元させる力を発生させる。
【００５７】
以下、上述した構成の本発明の作動過程について説明する。
【００５８】
まず、前記収容部材４０の内部に飲食物を入れ、前記収容部材４０を前記本体３０の上部に結合させる。
【００５９】
この時、前記刃４１は前記モーター３２に連結される。
【００６０】
電源の印加によって前記モーター３２が駆動されることによって前記刃４１が回転しながら前記収容部材４０の内部に収容された飲食物を粉砕する。
【００６１】
このような状態で、使用者が前記収容部材４０又は本体３０を握って下方に押す。
【００６２】
すると、前記本体３０は前記回転部材２０に対して下降しながら前記垂直弾性部材５０を圧縮させ、外力が弱くなるとか除去されれば、前記垂直弾性部材５０の弾性復元力によって前記回転部材２０は再び上昇する。
【００６３】
このような前記回転部材２０の上下移動によって前記収容部材４０の内部に収容された飲食物がよりうまく粉砕される。
【００６４】
特に、前記本体３０を握って上下方向だけではなく左右方向に振ることにより、前記収容部材４０の内部に収容された飲食物がよく混合されながら粉砕される。
【００６５】
前記本体３０を握って左右方向に移動させれば、前記本体３０及び回転部材２０は前記ボール部材２３を中心に左右方向に揺れながら回動する。この時、前記水平弾性部材６０は位置別に圧縮又は弛緩される。
【００６６】
その後、外力が弱くなるとか除去されれば、前記水平弾性部材６０の弾性復元力によって前記本体３０及び回転部材２０は原位置に復元される。
【００６７】
このように、本発明は、飲食物を収容した前記収容部材４０が上下方向に移動しながら左右方向にも移動するから、使用者が前記収容部材４０を握って多方向に容易に振ることができるので、前記収容部材４０の内部に存在する飲食物をよりうまく粉砕することができる。
【００６８】
第２実施例
【００６９】
図５は本発明の第２実施例によるミキサーの斜視図、図６は図５のＢ−Ｂ線に沿って見た側断面図である。
【００７０】
第２実施例は、第１実施例と比較して、前記水平弾性部材６０の位置及びカバー部材７０を含むという点で違いがあるので、これを中心に説明する。
【００７１】
前記水平弾性部材６０は前記ベース部材１０の内部に配置され、一端が前記側壁１２に結合されるとともに他端が前記回転部材２０の外周面に結合される。
【００７２】
よって、前記回転部材２０の左右方向への移動時、前記水平弾性部材６０が圧縮又は弛緩されて前記回転部材２０が原位置に復元することができるようにする。
【００７３】
そして、前記カバー部材７０は回転部材２０の外周面に結合されて前記水平弾性部材６０の上部を覆う。
【００７４】
前記カバー部材７０は略中空円錐状に形成されて前記水平弾性部材６０の上部を覆い、前記回転部材２０の左右移動時、前記側壁１２の外周面に沿って移動することができるようにする。
【００７５】
その他の事項は第１実施例と同一又は類似であるので、これについての詳細な説明は省略する。
【００７６】
本発明による上下移動及びスイング型ミキサーは前述した実施例に限定されず、本発明の技術思想が許容される範囲内で多様に変形されて実施できる。
【符号の説明】
【００７７】
１０    ベース部材
１１    底面
１２    側壁
１３    収容孔
２０    回転部材
２１    昇降溝
２３    ボール部材
３０    本体
３１    ガイド突起
３２    モーター
４０    収容部材
４１    刃
５０    垂直弾性部材
６０    水平弾性部材
７０    カバー部材
【図１】
2019509069.tif 000003
【図２】
2019509069.tif 000004
【図３】
2019509069.tif 000005
【図４】
2019509069.tif 000006
【図５】
2019509069.tif 000007
【図６】
2019509069.tif 000008
【国際調査報告】
2019509069.tif 000009
2019509069.tif 000010
2019509069.tif 000011
2019509069.tif 000012